(57)【要約】【課題】リモコン等の操作をしなくても簡便かつ迅速に、自分に向けて快適な調和空気を送風させることができる空気調和機の室内機を得る。【解決手段】空気調和機の室内機１００の制御装置７０は、撮像装置５０が撮像した人間（ユーザーＵ１）の顔Ｕ１０が、予め定めた時間である認識時間（Ｊ１）の間、撮像装置５０に対面して静止し、検温装置６０が検出したユーザーＵ１の体温（Ｔ１）が標準温度範囲から外れているとき（Ｔ１＜ＴＬ、または、ＴＵ＜Ｔ１）、調和空気の吹出温度（Ｔ）を変更して（Ｔ＋ΔＴ、または、Ｔ−ΔＴ）、当該人間に向けて吹出温度が変更された調和空気を送風し、かかる送風によって、当該人間の体温が標準温度範囲内になったとき、調和空気の吹出温度を元に戻し（Ｔ）、当該人間に向けて吹出温度が戻された調和空気を送風する。【選択図】図６
2015094527.tif 000002
【特許請求の範囲】
【請求項１】
冷凍サイクルの一部を実行する熱交換器と、調和空気の吹出方向を調整する風向調整装置と、室内を撮像する撮像装置と、少なくとも前記撮像装置が撮像した人間の体温を検出する検温装置と、前記撮像装置が撮像した人間の映像および前記検温装置が検出した前記人間の体温に基づいて前記冷凍サイクルおよび前記風向調整装置を制御する制御装置と、を有し、
前記制御装置は、当初吹出温度の調和空気を送風するように前記冷凍サイクルを運転している際、前記撮像装置によって撮像された人間の顔が、予め定めた時間である認識時間の間、前記撮像装置に対面して静止し、且つ、前記人間の体温が予め設定された標準温度範囲を外れているとき、調和空気の吹出温度を前記当初吹出温度とは相違する温度に設定して、該設定された吹出温度の調和空気を前記人間に向けて送風し、
前記設定された吹出温度の調和空気の送風によって、前記人間の体温が前記標準温度範囲内の温度になったとき、前記設定された吹出温度を前記当初吹出温度に戻す制御を実行することを特徴とする空気調和機の室内機。
【請求項２】
前記制御装置は、当初吹出温度の調和空気を送風するように前記冷凍サイクルを運転している際、前記撮像装置によって撮像された人間の顔が、前記認識時間の間、前記撮像装置に対面して静止しているとき、該人間を認識するユーザー認識ステップと、
前記ユーザー認識ステップに続き、前記認識された人間の体温を前記検温装置に検出させ、前記検温装置が検出した体温が前記標準温度範囲内の温度であるか否かを判断して、前記人間の体温が前記標準温度範囲の上限温度よりも高い温度である場合、前記調和空気の吹出温度を前記当初吹出温度よりも低い温度に設定し、または前記人間の体温が前記標準温度範囲の下限温度よりも低い温度である場合、前記調和空気の吹出温度を前記当初吹出温度よりも高い温度に設定し、若しくは前記人間の体温が前記標準温度範囲内の温度である場合、前記調和空気の吹出温度を前記当初吹出温度と同じ温度に設定する温度設定ステップと、
前記温度設定ステップに続き、前記設定された吹出温度の調和空気を、前記人間に向けて吹き出すように前記風向調整装置を制御する強力吹出ステップと、
前記強力吹出ステップに続き、前記人間の体温が、前記標準温度範囲内の温度になった場合、前記設定された吹出温度を前記当初吹出温度に戻す温度戻しステップと、
該温度戻しステップに続き、前記人間に向けて、前記当初吹出温度に戻された吹出温度の調和空気が送られるように前記風向調整装置を制御する標準吹出ステップと、
を実行することを特徴とする請求項１記載の空気調和機の室内機。
【請求項３】
前記制御装置は、当初吹出温度の調和空気を送風するように前記冷凍サイクルを運転している際、前記撮像装置によって撮像された人間の顔が、前記認識時間の間、前記撮像装置に対面して静止し、且つ、前記人間の体温が予め設定された標準温度範囲内の温度よりも高く、さらに、現在運転中の運転モードが暖房モードである場合、運転モードを冷房モードに切り替えると共に、調和空気の吹出温度を前記当初吹出温度よりも低い吹出温度に設定して、該低い吹出温度に設定された調和空気を前記人間に向けて送風し、
前記低い吹出温度に設定された調和空気の送風によって、前記人間の体温が前記標準温度範囲内の温度になったとき、運転モードが冷房モードに切り替えられている場合は、前記切り替えられた運転モードを暖房モードに戻すと共に、前記低い吹出温度に設定されていた吹出温度を前記当初吹出温度に戻すことを特徴とする請求項１記載の空気調和機の室内機。
【請求項４】
前記制御装置は、当初吹出温度の調和空気を送風するように前記冷凍サイクルを運転している際、前記撮像装置によって撮像された人間の顔が、前記認識時間の間、前記撮像装置に対面して静止しているとき、該人間を認識するユーザー認識ステップと、
前記ユーザー認識ステップに続き、前記人間の体温を前記検温装置に検出させ、前記検温装置が検出した体温が前記標準温度範囲内の温度であるか否かを判断して、前記人間の体温が前記標準温度範囲の上限温度よりも高い温度で、かつ、現在運転中の運転モードが暖房モードである場合、運転モードを冷房モードに切り替える運転モード切替ステップと、
前記人間の体温が前記標準温度範囲の上限温度よりも高い温度である場合、調和空気の吹出温度を前記当初吹出温度よりも低い温度に設定し、または前記人間の体温が前記標準温度範囲の下限温度よりも低い温度である場合、調和空気の吹出温度を前記当初吹出温度よりも高い温度に設定し、若しくは前記人間の体温が前記標準温度範囲内の温度である場合、調和空気の吹出温度を前記当初吹出温度と同じ温度に維持する温度設定ステップと、
前記温度設定ステップに続き、前記設定された吹出温度または前記維持された吹出温度の調和空気を、前記人間に向けて吹き出すように前記風向調整装置を制御する強力吹出ステップと、
前記強力吹出ステップに続き、前記人間の体温が、前記標準温度範囲内の温度になった場合、運転モードが暖房モードから冷房モードに切り替えられているときは、運転モードを切り替えられる前の暖房モードに戻し、または、運転モードが切り替えられていないときは、該運転モードを暖房モードに維持する運転モード戻しステップと、
該運転モード戻しステップに続き、前記設定された吹出温度を前記当初吹出温度に戻す温度戻しステップと、
該温度戻しステップに続き、前記人間に向けて、前記当初吹出温度に戻された吹出温度の調和空気が送られるように前記風向調整装置を制御する標準吹出ステップと、
を実行することを特徴とする請求項３記載の空気調和機の室内機。
【請求項５】
前記制御装置は、前記冷凍サイクルの前回運転停止時に設定されていた調和空気の吹出温度を記憶し、前記冷凍サイクルの停止中に、前記撮像装置によって撮像された人間の顔が、予め定めた時間である認識時間の間、前記撮像装置に対面して静止しているとき、前記冷凍サイクルを起動することを特徴とする請求項１記載の空気調和機の室内機。
【請求項６】
前記制御装置は、前記人間が移動した際、前記人間の移動先を特定し、前記移動先にいる前記人間に向けて調和空気を送風することを特徴とする請求項１記載の空気調和機の室内機。
【請求項７】
前記制御装置は、前記人間に調和空気の送風を開始してから予め定められた時間である対象不変時間を超過した後、前記人間以外の人間の顔が、予め定めた時間である認識時間の間、前記撮像装置に対面して静止し、且つ、前記人間以外の人間の体温が予め設定された標準温度範囲を外れているとき、調和空気の吹出温度を前記当初吹出温度とは相違する吹出温度に設定して、該設定された吹出温度の調和空気を、前記人間以外の人間に向けて送風し、
前記設定された吹出温度の調和空気の送風によって、前記人間以外の人間の体温が前記標準温度範囲内の温度になったとき、前記調和空気の吹出温度を前記当初吹出温度に戻す制御を実行することを特徴とする請求項１記載の空気調和機の室内機。
【請求項８】
前記制御装置は、前記調和空気の送風方向が、前記人間を含む予め定めた範囲内を往復して変動するように前記風向調整装置を制御するとき、前記人間を除く範囲に向かって前記調和空気が送風されている間に、前記検温装置が検知した温度を、前記人間の体温とすることを特徴とする請求項１記載の空気調和機の室内機。
【請求項９】
前記制御装置は前記風向調整装置を制御している際、少なくとも当該制御を停止させる信号を発することができる遠隔操作装置を有することを特徴とする請求項１記載の空気調和機の室内機。
【発明の詳細な説明】
【技術分野】
【０００１】
本発明は空気調和機の室内機、特に、調和空気の吹出方向を変更することができる空気調和機の室内機に関するものである。
【背景技術】
【０００２】
従来、室内に居る人間（以下、「ユーザー」と称す）の快適性を増すため、ユ−ザーの位置を検知して、ユ−ザーを避けるように送風したり、反対にユ−ザーに向けて送風したりする空気調和機の室内機（以下、「室内機」と称す）が知られている。
そして、単にユ−ザーの位置を検知するだけでなく、ユ−ザーの活動状態を検知して、かかる活動状態に基づいて、調和空気の温度、吹出量および吹出方向を制御する、すなわち、軽い運動や軽い力仕事をして活動量が大きくなっていると検知したとき、当該ユーザーに向けて集中的に送風し、活動によって発生した熱量を取り除くことにより、体温の上昇を抑えて暑いと感じさせないようにする室内機が開示されている（例えば、特許文献１参照）。
【先行技術文献】
【特許文献】
【０００３】
【特許文献１】特開平６−３２３５９９号公報（第３−５頁、図２）
【発明の概要】
【発明が解決しようとする課題】
【０００４】
しかしながら、特許文献１に開示された室内機では、活動量が大きくなっていないユーザーに向けては調和空気が集中して送風されることはなく、通常の送風がなされる。このため、以下のような要請があった。
（ａ）活動量が大きくなっていないユーザーであっても、個人的に体感温度が相違し、通常の送風では暑いと感じるユーザー（以下、「暑がりさん」と称す）や寒いと感じるユーザー（以下、「寒がりさん」と称す）がいるため、暑がりさんや寒がりさんの快適性も維持したいという要請がある。
（ｂ）また、暑い（又は寒い）屋外から室内に入った直後に、リモコン（遠隔操作装置）を操作をする面倒をなくして、急速に涼しくなりたい（暖まりたい）という要請がある。特に、風呂上がりや暑い（又は寒い）屋外から室内に入った直後には、容易かつ迅速に涼しくなりたい（暖まりたい）という要請がある。
（ｃ）さらに、例えば冬場の温泉等では脱衣所が暖房されている空調環境において、風呂上がり時に、容易かつ迅速に一時的に涼しくなりたいという要請がある。
【０００５】
本発明は、上記のような要請に応えるものであって、リモコン等の操作を必要とすることなく、体温が相違するユーザーの快適性を容易かつ迅速に向上することができるようにする第１の目的、また、暖房されている空調環境において容易かつ迅速に涼しくさせることができるようにする第２の目的、の少なくとも一方を可能にする空気調和機の室内機を得るものである。
【課題を解決するための手段】
【０００６】
本発明に係る空気調和機の室内機は、冷凍サイクルの一部を実行する熱交換器と、調和空気の吹出方向を調整する風向調整装置と、室内を撮像する撮像装置と、少なくとも前記撮像装置が撮像した人間の体温を検出する検温装置と、前記撮像装置が撮像した人間の映像および前記検温装置が検出した前記人間の体温に基づいて前記冷凍サイクルおよび前記風向調整装置を制御する制御装置と、を有し、前記制御装置は、当初吹出温度の調和空気を送風するように前記冷凍サイクルを運転している際、前記撮像装置によって撮像された人間の顔が、予め定めた時間である認識時間の間、前記撮像装置に対面して静止し、且つ、前記人間の体温が予め設定された標準温度範囲を外れているとき、調和空気の吹出温度を前記当初吹出温度とは相違する温度に設定して、該設定された吹出温度の調和空気を前記人間に向けて送風し、前記設定された吹出温度の調和空気の送風によって、前記人間の体温が前記標準温度範囲内の温度になったとき、前記設定された吹出温度を前記当初吹出温度に戻す制御を実行することを特徴とする。
【発明の効果】
【０００７】
本発明に係る空気調和機の室内機は、人間（ユーザー）の顔が、認識時間の間、撮像装置に対面して静止し、且つ、前記人間の体温が標準温度範囲を外れているとき、前記人間がリモコンを操作しなくても、吹出温度が変更された調和空気が、前記人間に向けて送風され、さらに、吹出温度が変更された調和空気の送風によって、前記人間の体温が標準温度範囲内になったとき、調和空気の吹出温度を設定される前の当初吹出温度に戻されるため、リモコンを探す手間やリモコンを操作する手間を省くことにより利便性が向上すると共に、制御された吹出温度の調和空気が送風されることにより快適性も向上する。
すなわち、自分に向けて調和空気が送風されることを欲した前記人間は、撮像装置の視野内であれば室内の何れの位置においても、認識時間の間だけ撮像装置に対面して静止するだけで、例えば、体温が低い場合は、当該ユーザーは寒い所から入室して、急速に暖まろうとしていると判断され、吹出温度がより高い温度に設定された調和空気が送風され、一方、前記人間の体温が高い場合は、前記人間は暑い所から入室して、急速に涼もうとしていると判断され、吹出温度がより低い温度に設定された調和空気が送風され、また、前記人間の体温が低くも高くもない場合は、前記人間は、単に、自分に向けて調和空気が吹き出されるようにしようとしていると判断され、吹出温度を変更しないままの調和空気が送風される。
さらに、十分に暖まり、あるいは涼んだところで、リモコン等の操作をすることなく、設定された調和空気の吹出温度が設定前の当初吹出温度に戻されるから、快適性および利便性がさらに向上する。
【図面の簡単な説明】
【０００８】
【図１】本発明の実施の形態１に係る空気調和機の室内機を説明する、図１の（ａ）は本体を示す正面図、図１の（ｂ）はリモコンを示す正面図。
【図２】図１の（ａ）に示す本体の側面視の断面図。
【図３】図１の（ａ）に示す本体の一部（吹出口の周辺）を抜き出して示す斜視図。
【図４】図１に示す室内機におけるユーザーの認識要領を模式的に説明する、図４の（ａ）は側面図、図４の（ｂ）は平面図。
【図５】図１に示す室内機におけるユーザーの認識要領を拡大して模式的に説明する、図５の（ａ）は側面図、図５の（ｂ）は平面図。
【図６】図１に示す空気調和機の室内機における制御フローを示すフローチャート。
【図７】図１に示す空気調和機の室内機における制御フローを示すフローチャート。
【図８】図１に示す空気調和機の室内機における調和空気の吹出要領を説明する平面図。
【図９】図１に示す空気調和機の室内機におけるスイング吹出の際の人間の顔の温度の変化を模式的に示した温度変化図。
【図１０】本発明の実施の形態２に係る空気調和機の室内機を説明するものであって、室内機における制御フローを示すフローチャート。
【図１１】本発明の実施の形態２に係る空気調和機の室内機を説明するものであって、室内機における制御フローを示すフローチャート。
【発明を実施するための形態】
【０００９】
［実施の形態１］
図１〜図３は、本発明の実施の形態１に係る空気調和機の室内機を説明するものであって、図１の（ａ）は本体を示す正面図、図１の（ｂ）はリモコンを示す正面図、図２は本体を示す側面視の断面図、図３は本体の一部（吹出口の周辺）を抜き出して示す斜視図である。なお、各図は模式的に描いたものであって、本発明は図示された形態に限定されるものではない。
図１〜図３において、空気調和機の室内機（以下「室内機」と称す）１００は、上部に吸込口３および下部に吹出口７が形成された本体１と、本体１の前面を開閉自在に覆う前面パネル２と、吸込口３から室内空気を吸い込んで、吹出口７に至る風路６を形成する送風機５と、送風機５の上流側（吸込口３寄り）に設置された熱交換器４とを有し、風路６には上下風向板９および左右風向板１０が設置されている。
【００１０】
そして、図示しない室外機に設置された圧縮機、室外熱交換器および冷媒膨張弁と、室内機１００に設置された熱交換器４と、これらを連通する冷媒配管とによって、冷媒回路が形成され、冷凍サイクルが実行される。
また、本体１の前面で吹出口７の脇に、リモコン８０からの信号を受信する受信装置４０と、室内の様子を撮像する撮像装置５０と、室内の温度を検出する検温装置６０とが設置されている。
さらに、本体１の内部に、撮像装置５０が撮像した人間の映像および検温装置６０が検出した人間の体温に基づいて、冷凍サイクル（図示しない圧縮機または冷媒膨張弁等）および風向調整装置（上下風向板９および左右風向板１０）を制御する制御装置７０が設置されている。
【００１１】
（熱交換器）
図２において、熱交換器４は前面パネル２に略平行な部分である熱交換前部分４ａと、送風機５の前面寄り斜め上方の部分である熱交換上前部分４ｂと、送風機５の後面寄り斜め上方の部分である熱交換上後部分４ｃと、を具備している。そして、熱交換前部分４ａの下方にはドレンパン８が配置され、ドレンパン８の上面８ａが実際にドレンを受けるドレンパン面を形成し、ドレンパン８の下面８ｂが風路６の前面側を形成している。
【００１２】
（風向調整装置）
図２において、風路６の末端である吹出口７には、調和空気の鉛直方向（上下方向）の吹き出し方向を調整する上下風向板９（前上下風向板９ａおよび後上下風向板９ｂをまとめて「上下風向板９」と称している）とが設けられている。
図３において、風路の吹出口７に近い位置には、熱交換器４において調和された室内空気（以下、「調和空気」と称す）の水平方向（左右方向）の吹き出し方向を調整する風向調整装置である、左側左右風向板群１０Ｌと右側左右風向板群１０Ｒ（これらをまとめて又はそれぞれを「左右風向板１０」と称している）が設けられている。
なお、説明の便宜上、前記「左側」および「右側」とは、室内機１００から室内を見たとき、すなわち、本体１の背面側から前面パネル２の方向を見たときに、左手に見えるものを「左側」、右手に見えるものを「右側」と、それぞれ称している。
【００１３】
（左右風向板）
右側左右風向板群１０Ｒは、左右風向板１０ａ、１０ｂ・・・１０ｇによって構成され、ドレンパン８の下面８ｂに回動自在に設置され、それぞれに右側連結棒２０Ｒが連結されている。また、左側左右風向板群１０Ｌは、左右風向板１０ｈ、１０ｉ・・・１０ｎによって構成され、それぞれに左側連結棒２０Ｌが連結されている。
そして、右側左右風向板群１０Ｒと右側連結棒２０Ｒとはリンク機構を形成し、また、左側左右風向板群１０Ｌと左側連結棒２０Ｌとはリンク機構を形成し、右側連結棒２０Ｒには右側駆動手段（図示しない）が、左側連結棒２０Ｌには左側駆動手段３０Ｌが、それぞれ連結されている。
したがって、右側連結棒２０Ｒが右側駆動手段によって平行移動された際、左右風向板１０ａ、１０ｂ・・・１０ｇは互いに平行を維持しながら回動し、左側連結棒２０Ｌが左側駆動手段３０Ｌによって平行移動された際、左右風向板１０ｈ、１０ｉ・・・１０ｎは互いに平行を維持しながら回動する。このため、調和空気を吹出口７の全幅に渡って同じ方向に吹き出したり、吹出口７の半幅毎で互いに離れる方向に吹き出したり、吹出口７の半幅毎で互いに衝突する方向に吹き出したりすることが可能になっている。
なお、本発明は、左右風向板１０の形態を図示するものに限定するものではなく、左右風向板１０は何枚でもよく、また、左右風向板１０を３以上の群に分け、それぞれの群を連結棒に回動自在に接合して、それぞれの連結棒を独立に平行移動させるようにしてもよい。
【００１４】
（上下風向板）
上下風向板９は水平方向（図１に示すＹ方向に同じ）に平行な回動中心を有し、本体１に回動自在に設置されている。前上下風向板９ａの回動軸および後上下風向板９ｂの回動軸はそれぞれリンク機構または歯車機構によって連結され、共通の駆動モーターによって回動される。
なお、本発明は、上下風向板９の形態を図示するものに限定するものではなく、前上下風向板９ａおよび後上下風向板９ｂをそれぞれ別個の駆動モーターによって回動してもよい。また、それぞれを左右方向の中央で分割して合計４枚にし、それぞれが別個に独立して回動するようにしてもよい。
【００１５】
（撮像装置、検温装置）
なお、本発明は、受信装置４０、撮像装置５０および検温装置６０の型式や設置位置を限定するものではなく、例えば、撮像装置５０を、１００万以下の画素を有するＣＣＤカメラにし、検温装置６０は赤外線センサーにし、両方をまとめて、例えば、前面パネル２の中央部に設置したり、あるいは、それぞれ離れた位置に設置したりしてもよい。
また、撮像装置５０の撮像する時間間隔および検温装置６０の検温する時間間隔は限定するものではなく、待機中および冷凍サイクルの運転中において、以下に説明する制御を可能にする連続的とみなせる時間間隔（正確には、例えば、１秒毎）である。
さらに、室内機１００の本体１またはリモコン８０には、室内機１００の運転状況を報知するための音声または映像による報知装置（図示しない）が設けられている。
【００１６】
（制御装置）
制御装置７０はユーザーの要求に応じて、調和空気の吹出温度（冷凍サイクル）や吹出方向（上下風向板９および左右風向板１０等の姿勢）を制御するものである。
すなわち、制御装置７０は、以下に詳細に説明するように、主に、ユーザーを認識するユーザー認識ステップと、ユーザーの体温に応じて調和空気の吹出温度を設定（変更または維持）する温度設定ステップと、設定された吹出温度の調和空気を吹き出す強力吹出ステップと、設定された吹出温度を設定前の温度に戻す温度戻しステップと、設定される前の吹出温度の調和空気を吹き出す標準吹出ステップと、を実行する。
そして、冷凍サイクルが停止しているときは、冷凍サイクルを起動する起動ステップと、ユーザーが移動したときは、ユーザーを追跡して移動先を特定する追跡ステップと、当初のユーザー以外の人間に対しても調和空気が送風されるようにする吹出対象変更ステップと、を適宜実行する。これら各ステップについては、別途詳細に説明する。
【００１７】
（リモコン）
図１の（ｂ）において、リモコン８０は、本体１の受信装置４０に対して操作信号を送信すると共に、本体１から運転情報を受信するものであって、ユーザーが操作信号を入力するための入力部８１と、入力された操作信号または本体１から受信した運転情報を表示する表示部８２と、本体１との交信を可能にする交信部８５と、を有している。
【００１８】
（ユーザーの認識）
図４および図５は、本発明の実施の形態１に係る空気調和機の室内機におけるユーザーの認識要領を説明するためのものであって、図４の（ａ）および図４の（ｂ）は模式的に示す側面図および平面図、図５の（ａ）および図５の（ｂ）は拡大して模式的に示す側面図および平面図である。
図４の（ａ）および図４の（ｂ）において、室内機１００が、室内９０の一方の壁（以下、「背面壁」と称す）９１で天井面９２に近い位置に設置されている。また、撮像装置５０（例えば、３０万画素のＣＣＤカメラ）は、斜め下方に向かった視野５１を有している。視野５１は鉛直方向と水平方向とで開き角度が相違し、略楕円錐状である。
そして、図中のユーザーＵ１は、制御装置７０によって「自分に向けて調和空気が送風されることを欲している人間」であると認識された人間である。一方、ユーザーＵ２およびユーザーＵ３は、制御装置７０によって「自分に向けて調和空気が送風されることを欲している人間」ではないと判断されている。
【００１９】
すなわち、ユーザーＵ１は、ユーザーＵ１の顔Ｕ１０が視野５１内にあって、撮像装置５０に対面し、少なくとも、予め設定された時間である認識時間（例えば、３秒間）Ｊ１の間静止している。
このとき、「対面」とは、水平面においては、撮像装置５０からの放射線（一点鎖線にて示す）に対して、目Ｕ１１ａと目Ｕ１１ｂとを結ぶ仮想線がなす角度が垂直で、鉛直面においては、撮像装置５０からの放射線（一点鎖線にて示す）に対して、額と顎を結ぶ仮想線（鼻を除く顔部分を平面であると仮定した際の平面）とがなす角度が垂直な状態を意味しているが、厳密に垂直である状態に限定するものではなく、概ね「９０°±２０°」の角度を目安にしている。なお、実際に、前記放射線と仮想線とがなす角度を求めることは容易でないため、かかる角度に代えて、別の要領によって対面していることを判断する（これについては、別途詳細に説明する）。
また、「静止」とは、文字通り全く動かない状態ではなく、僅かに揺れ動く状態を含むものであり、例えば、揺れ動く前に撮像された顔Ｕ１０の映像に、揺れ動いた際に撮像された顔Ｕ１０の映像の一部が重なる程度に揺れた状態を含んでいる。
【００２０】
具体的には、ユーザーＵ１は、撮像された映像において、顔Ｕ１０の鼻Ｕ１３を挟んで目Ｕ１１ａと目Ｕ１１ｂとの両目が撮像され、水平視で対面し、目Ｕ１１ａと目Ｕ１１ｂとを結ぶ仮想線が顔Ｕ１０の上側に位置していることから、側面視で対面し、かつ、目Ｕ１１ａと目Ｕ１１ｂとを結ぶ仮想線の中点が、顔Ｕ１０（含む頭）の略中央に位置していることから、平面視で対面している。
ユーザーＵ２は、側面視では対面しているものの、平面視では、顔Ｕ１０の目Ｕ１１ａは撮像されながらも、目Ｕ１１ｂは鼻Ｕ１３に隠されて撮像されていないため、そっぽを向いていると判断され、平面視では対面していない。
ユーザーＵ３は、平面視では対面しているものの、側面視では、目Ｕ１１ａと目Ｕ１１ｂとを結ぶ仮想線の中点が、顔Ｕ１０（含む頭）の中央よりも下方に位置していることから、側面視で対面していない。
【００２１】
（側面視における対面）
次に、「対面」の判断について、側面視における対面と平面視における対面とを説明する。
図５の（ａ）において、ユーザーＵ１の撮像された映像において、ユーザーＵ１の目Ｕ１１ａおよび目Ｕ１１ｂの両方が認められ、目Ｕ１１ａと目Ｕ１１ｂとを結ぶ仮想線の中点を中点Ｕ１１ｃとし、中点Ｕ１１ｃを通過する撮像装置５０からの放射線を放射線５０ｃとする。また、ユーザーＵ１の撮像された映像における、顔Ｕ１０（含む頭部）の上端を上端Ｕ１２とし、上端Ｕ１２を通過する撮像装置５０からの放射線を放射線５０ａとし、一方、顔Ｕ１０の下端（顎の下端に同じ）を下端Ｕ１４とし、下端Ｕ１４を通過する撮像装置５０からの放射線を放射線５０ｂとする。
そして、放射線５０ａと放射線５０ｃとがなす角度θａと、放射線５０ｂと放射線５０ｃとがなす角度θｂとを比較して、両者の差（Δθａｂ＝｜θａ−θｂ｜）が小さいとき、ユーザーＵ１は側面視において対面しているとする。なお、両者の差（Δθａｂ）の値は限定するものではないが、概ね「２０°」とする。
【００２２】
（平面視における対面）
図５の（ｂ）において、ユーザーＵ１の撮像された映像における、ユーザーＵ１の目Ｕ１１ａおよび目Ｕ１１ｂの両方が認められ、目Ｕ１１ａと目Ｕ１１ｂとを結ぶ仮想線の中点を中点Ｕ１１ｃとし、中点Ｕ１１ｃを通過する撮像装置５０からの放射線を放射線５０ｃとする。また、ユーザーＵ１の撮像された映像における、顔Ｕ１０（含む頭部）の一方の側端を左端Ｕ１５とし、左端Ｕ１５を通過する撮像装置５０からの放射線を放射線５０ｄとし、一方、顔Ｕ１０（含む頭部）の他方の側端を右端Ｕ１６とし、右端Ｕ１６を通過する撮像装置５０からの放射線を放射線５０ｅとする。
そして、放射線５０ｄと放射線５０ｃとがなす角度θｄと、放射線５０ｅと放射線５０ｃとがなす角度θｅとを比較して、両者の差（Δθｄｅ＝｜θｄ−θｅ｜）が小さいとき、ユーザーＵ１は平面視において対面しているとする。なお、両者の差（Δθｄｅ）の値は限定するものではないが、概ね「２０°」とする。
【００２３】
（ユーザーの追跡）
制御装置７０は、ユーザーＵ１を認識した後は、撮像装置５０が撮像したユーザーＵ１の映像からユーザーＵ１を追跡して、その移動先（以下、「ユーザー位置」と称す）Ｐ１を特定する。
すなわち、ユーザーＵ１が移動しないで、認識された位置に居続ける間は、当該位置（以下「認識位置Ｐ０」と称す）をユーザー位置Ｐ１として特定する。また、ユーザーＵ１を認識した後に、ユーザーＵ１が移動し、かかる移動が終わった後、すなわち、ユーザーＵ１が立ち止まった位置あるいは座った位置を「移動先」として、その位置をユーザー位置Ｐ１として特定する。
【００２４】
（ユーザーの顔の体温の特定）
検温装置６０が検知した室内の温度（正確には温度分布）に基づいて、ユーザー位置Ｐ１（移動しない場合は認識位置Ｐ０に同じ）におけるユーザーＵ１の体温を特定する。そして、特定した体温が、予め定められた「標準温度範囲」から外れる場合には、以下に説明するように、調和空気の吹出温度を変更する。
なお、ユーザーＵ１を認識しない場合、以下に説明する制御は実施されない。
【００２５】
（吹出温度の設定）
特定した体温が、「標準温度範囲」の上限温度（例えば、３８℃）に比較して高い場合、ユーザーＵ１は暑い室外から入室した、あるいは風呂上がりであって、急速に涼しくなろうとしていると判断し、調和空気の吹出温度を、現在運転中である場合には、その時点での調和空気の吹出温度よりも低い温度（例えば、５℃だけ低い温度）に変更し、また、現在停止中である場合には、前回の運転を停止した時に設定されていた調和空気の吹出温度（制御装置７０に記憶されている）よりも低い温度（例えば、５℃だけ低い温度）に変更する。
【００２６】
一方、特定した体温が、「標準温度範囲」の下限温度（例えば、３５℃）に比較して低い場合、ユーザーＵ１は寒い室外から入室し、急速に暖まろうとしていると判断し、調和空気の吹出温度を、現在運転中である場合には、その時点での調和空気の吹出温度よりも高い温度（例えば、５℃だけ高い温度）に変更し、また、現在停止中である場合には、前回の運転を停止した時に設定されていた調和空気の吹出温度（制御装置７０に記憶されている）よりも高い温度（例えば、５℃だけ高い温度）に変更する。
【００２７】
さらに、特定した体温が、「標準温度範囲」以内の温度（例えば、３５℃〜３８℃）である場合、ユーザーＵ１は、調和空気が自分に向けて集中的に吹き出されるようにしようとしているだけであると判断し、調和空気の吹出温度を、現在運転中である場合には、その時点での調和空気の吹出温度のまま、また、現在停止中である場合には、前回の運転を停止した時に設定されていた調和空気の吹出温度（制御装置７０に記憶されている）と同じ温度に設定する。
【００２８】
（制御フロー）
図６および図７は、図１に示す空気調和機の室内機における制御フローを示すフローチャートである。
【００２９】
（ユーザー認識ステップ）
図６および図７において、制御装置７０は以下のステップを実行する。撮像装置５０は常時（例えば、１秒毎）に室内９０を撮像し、撮像した映像を制御装置７０に入力している（Ｓ１）。
そして、制御装置７０は、撮像された映像に基づいて、室内９０に一人又は複数人の人間が居るか否かを判断し、少なくとも一人の人間について、当該人間の顔が、撮像装置５０に対面して、認識時間（例えば、３秒間）Ｊ１以上に渡って静止しているか否かを判断する（Ｓ２）。
そして、当該人間の顔が撮像装置５０に対面して、認識時間Ｊ１以上に渡って静止していると判断した場合（Ｓ２、居る）、当該人間（以下「ユーザーＵ１」と称す）を、「自分に向けて調和空気が送風されることを欲している人間」であると認識する（Ｓ３）。なお、同時に、顔が撮像装置５０に対面して、認識時間Ｊ１以上に渡って静止している人間が複数人居ると判断した場合は、室内機１００（撮像装置５０）に近い位置に居る人間をユーザーＵ１とする。
【００３０】
（温度設定ステップ）
そこで、検温装置６０は、ユーザーＵ１の体温（Ｔ１）を検出し（Ｓ４）、体温（Ｔ１）が予め設定された標準温度範囲内の温度であるか否かを判断する（Ｓ５）。
そして、体温（Ｔ１）が標準温度範囲の上限温度（ＴＵ）よりも高い温度（ＴＵ＜Ｔ１）である場合、調和空気の吹出温度を前記当初吹出温度または前回運転停止時に設定されていた調和空気の吹出温度よりも低い吹出温度（Ｔ−ΔＴ）に設定する（Ｓ６の１）。
また、体温（Ｔ１）が標準温度範囲の下限温度（ＴＬ）よりも低い温度（Ｔ１＜ＴＬ）である場合、調和空気の吹出温度を前記当初吹出温度または前回運転停止時に設定されていた調和空気の吹出温度よりも高い吹出温度（Ｔ＋ΔＴ）に設定する（Ｓ６の２）。なお、高い吹出温度に設定する際の昇温量（ΔＴ）と低い吹出温度に設定する際の降温量（ΔＴ）とは、同じでも相違してもよい。
また、体温（Ｔ１）が前記標準温度範囲内の温度（ＴＬ≦Ｔ１≦ＴＵ）である場合、調和空気の吹出温度を前記当初吹出温度または前回運転停止時に設定されていた調和空気の吹出温度と同じ吹出温度（Ｔ）に設定する（Ｓ６の３）。
【００３１】
（起動ステップ）
そして、冷凍サイクルが運転中（冷房運転中、暖房運転中等）であるのか停止しているのかを判断し（Ｓ７）し、停止している場合には、ユーザーＵ１は、冷凍サイクルが起動されることを求めていると共に、自分に向かって調和空気が送風されることを欲していると判断して、冷凍サイクルを起動する（Ｓ８）。
【００３２】
（強力吹出ステップ）
そこで、制御装置７０は、ユーザーＵ１の位置を特定して（Ｓ９）、ユーザーＵ１に向かって調和空気が集中的に送風されるように（以下「強力吹出」と称す）、上下風向板９および左右風向板１０の姿勢を制御する（Ｓ１０）。このとき、「ユーザーＵ１に向かって」とは、ユーザーＵ１の顔Ｕ１０（図４参照）に向かってでも、ユーザーＵ１の体の中心（ベルトの位置等）に向かってでも、ユーザーＵ１が立っている床面（座っている座）等に向かってでもよく、その何れかであるように、予め設定可能にしてもよい。
【００３３】
（追跡ステップ）
そして、ユーザーＵ１が移動しないまま室内９０の前記特定された位置に居続けているか、あるいは移動したのかを判断し（Ｓ１１）、ユーザーＵ１が移動した場合には、ユーザーＵ１を追跡して、移動先を特定する（Ｓ１２）。そして、移動先に居るユーザーＵ１に向けて調和空気が集中的に送風されるように、上下風向板９および左右風向板１０を制御する（Ｓ１３）。
【００３４】
（温度戻しステップ）
さらに、ユーザーＵ１が移動しない場合も移動した場合も、ユーザーＵ１に向けて強力吹出が継続される（Ｓ１０、Ｓ１３）ため、新たに、ユーザーＵ１以外で、顔を撮像装置５０に対面させ、認識時間Ｊ１以上に渡って静止している人間が居るのか否かを判断する（これについては「吹出対象変更ステップ（Ｓ１４）」として別途詳細に説明する）。
そして、ユーザーＵ１以外に、顔を撮像装置５０に対面させ、認識時間Ｊ１以上に渡って静止している人間が居ない場合（Ｓ１４、居ない）、すなわち、認識された人間がユーザーＵ１のみである場合、ユーザーＵ１の体温（Ｔ２）を検出する（Ｓ１５）。
そして、検温装置６０が検出したユーザーＵ１の体温（Ｔ２）が予め設定された標準温度範囲内の温度（ＴＬ≦Ｔ２≦ＴＵ）であるか否かを判断する（Ｓ１６）。すなわち、ユーザーＵ１が涼み終わったか（暖まり終わったか）否かを体温（Ｔ２）の変化によって判断する。
そこで、 体温（Ｔ２）が標準温度範囲内の温度（ＴＬ≦Ｔ２≦ＴＵ）になったと判断した場合、ユーザーＵ１は涼み終わった（暖まり終わった）として、調和空気の吹出温度を設定される前の吹出温度（Ｔ）に戻す（Ｓ１７）。
【００３５】
（標準吹出ステップ）
そして、設定される前の吹出温度（Ｔ）に戻された調和空気を、ユーザーＵ１に向けて、集中的に送風するように左右風向板１０および上下風向板９の姿勢を制御する（Ｓ１８）。
なお、予め特定の時間（例えば、１５分。以下「集中吹出時間」と称す）を設け、ユーザーＵ１に向けて集中吹出を開始してから集中吹出時間が経過した時点で、ユーザーＵ１に向けた集中（限定）的な送風を中止して、室内９０の広い範囲に均一に調和空気が送られるようにしてもよい。
そして、リモコン８０に設けられた図示しない停止釦（入力部８１に設けられている）が押されたところで（Ｓ１９）、制御を終了する。
【００３６】
（集中吹出の継続）
一方、体温（Ｔ２）が標準温度範囲を外れている場合（Ｓ１６において、Ｔ２＜ＴＬ、または、ＴＵ＜Ｔ２）、ユーザーＵ１は涼み終わっていない（暖まり終わっていない）として、設定された吹出温度（Ｔ＋ΔＴ、または、Ｔ−ΔＴ）の調和空気をユーザーＵ１に向けて集中的に送風するステップに戻る（Ｓ１０に戻る）。
【００３７】
（吹出対象変更ステップ）
前記のように、ユーザーＵ１が移動した場合も移動しない場合も、ユーザーＵ１以外で、顔を撮像装置５０に対面させ、認識時間Ｊ１以上に渡って静止している人間が居ると判断した場合（Ｓ１４、居る）、制御装置７０は、短時間の間に頻繁に吹出対象が変更されることを防止するため、ユーザーＵ１に向けて初めて集中吹出を開始した後（Ｓ１０）、予め設定した時間である対象不変時間（吹き出す対象を変更しない時間、例えば、３分）Ｊ２を超過しているか否かを判断する（Ｓ２０）。
【００３８】
そして、対象不変時間Ｊ２を超過していないと判断したときは（Ｓ２０、超過していない）、ユーザーＵ１の体温（Ｔ２）を検出するステップ（Ｓ１５）に進む。
一方、対象不変時間Ｊ２を超過していると判断したときは（Ｓ２０、超過している）、顔を撮像装置５０に対面させ、認識時間Ｊ１以上に渡って静止している人間（以下「ユーザーＵ４」と称す）を、「自分に向けて調和空気が送風されることを欲している人間」であると認識し（Ｓ２１）、ユーザーＵ４をユーザーＵ１と読み替えて、ユーザーＵ１と読み替えられたユーザーＵ４の体温（Ｔ１）を検出するステップを実行する（Ｓ４に戻る）。
このとき、ユーザーＵ４とユーザーＵ１とが同一人であってもよく、この場合は、ユーザーＵ１は、自分に向けての送風がさらに継続されることを求めていると判断する。
なお、強力吹出または標準吹出を継続中であっても、ユーザーＵ１またはユーザーＵ１以外の人間がリモコン８０を操作して、運転停止（冷凍サイクルの停止）を指示した場合には、冷凍サイクルを停止する（図示しない）。
【００３９】
（作用効果）
以上のように、室内機１００の制御装置７０は前記各ステップを実行するから、以下の作用効果が得られる。
（ｉ）ユーザーＵ１は、リモコンを操作することなく、自分を認識させる（撮像装置５０に対面して、認識時間（例えば、３秒間）Ｊ１以上に渡って静止する）ことによって、容易かつ迅速に、自分に向けて調和空気が送風されるように、上下風向板９および左右風向板１０の姿勢を制御させることができるから、利便性が向上する。
（ｉｉ）このとき、ユーザーＵ１の体温に応じて、吹出温度が変更された「強力な調和空気」が送風され（強力吹出ステップ）、さらに、ユーザーＵ１の体温が変化したときは、その変化に応じて吹出温度が変更される前の吹出温度に戻され、吹出温度が戻された「強力でない調和空気」が送風されるため（標準吹出ステップ）、快適性が向上する。
（ｉｉｉ）すなわち、寒い（暑い）所から入室した体温が低い（高い）ユーザーは、撮像装置５０の視野５１内であれば室内９０の何れの位置に居ても、自分を認識させることによって、強力な調和空気によって急速に暖まる（涼む）ことができる。また、ユーザーＵ１が移動した場合には、ユーザーＵ１は追跡され、特定された移動先において、強力な調和空気によって急速に暖まる（涼む）ことができる。
さらに、ユーザーＵ１が暖まった（涼んだ）ところで、強力でない調和空気が、ユーザーＵ１に向けて送風されるから、リモコン操作等の特別の作業を必要とすることなく、快適な空調環境を享受することができる。
また、現在運転中の調和空気（吹出温度が変更されない）が、自分に向かって吹き出されるようにしたい人間は、その場において自分を認識させることによって、容易かつ迅速に、強力でない調和空気を自分に向けて送風させることができる。
【００４０】
（ｉｖ）また、冷凍サイクルが運転停止中である場合に、撮像装置５０の視野内であれば室内９０の何れの位置に居ても、自分を認識させることによって、冷凍サイクルを起動することができるから、リモコン等を探す手間やリモコン等を操作する手間を省くことができ、利便性および快適性が増す。
（ｖ）さらに、対象不変時間Ｊ２を設けて、対象不変時間Ｊ２を過ぎた後は、ユーザーＵ１以外の人間に向けて調和空気が送風されるようにしたり、対象不変時間Ｊ２内であれば、ユーザーＵ１に向けて継続して調和空気が送風されるようにしたりすることを可能にすると共に、吹出対象（吹出方向）が短時間の間に頻繁に変更しないようにしているから、利便性が増すと共に、制御が安定する。また、室内の空気は慣性を持って流れているため、吹出方向を短時間の間に頻繁に変更させることは困難であることから、吹出方向を短時間の間に頻繁に変更しようとする無意味な制御が防止される。
【００４１】
なお、以上は、調和空気の吹出温度を設定（変更、維持）するように記載しているが、吹出温度に代えて、冷凍サイクルにおける冷媒温度（例えば、圧縮機の出口温度や、冷媒膨張弁の出口温度等）を設定するようにしてもよい。さらに、調和空気の吹出温度の設定に合わせて、送風機５の回転数を設定（変更、維持）してもよい。
【００４２】
また、ユーザーＵ１に向けて集中的に送風するとは、文字通り「ユーザーＵ１に向けての集中的な送風」に限定するものではなく、ユーザーＵ１の足元や、ユーザーＵ１の居る限られた位置を含む領域（例えば、ユーザーＵ１が座っているソファー等の領域）に向けた広がりのある送風を含むものである。また、ユーザーＵ１の方向を含んだユーザーＵ１以外の方向を含む広い方向に向けて送風する「分散吹出」や「スイング送風」であって、ユーザーＵ１に向けての送風時間または送風量が、ユーザーＵ１以外の方向に向けての送風時間または送風量よりも長いまたは多いものであってもよい（これらについては別途詳細に説明する）。
【００４３】
なお、吹き出された調和空気の空気流れは、吹き出し直後は、吹出口の大きさに略同じ断面を有する略均一な流速の束とみなせるものの、室内９０を流れる間に周囲の空気と混ざり合ったりしながら広がるため、実際にユーザーＵ１に到達した際の空気流れは、吹出口の大きさに比較して大きな断面を有し、その断面内においても流れの方向や流速が様々な空気流れの束の集合になっている。このため、本発明における「集中吹出」とは、前記広がった空気流れを平均化したときの中央が「特定の位置に向かっていること」を意味し、ユーザーＵ１が居る位置の周囲にも調和空気が到達していることを意味している。
【００４４】
（吹出要領）
図８は、図１に示す空気調和機の室内機における調和空気の吹出要領を説明する平面図である。以上は、ユーザー位置Ｐ１に向けて集中的に送風されるものを示しているが、本発明はこれに限定するものではなく、リモコン等の操作による「送風モード」の切り替えによって、ユーザー位置Ｐ１以外に向けても送風されるようにしてもよい。
また、リモコン８０等の操作によって、あるいは、集中吹出時間（例えば、１５分）を定め、該集中吹出時間が経過した後は、ユーザー位置Ｐ１に限定することなく、室内の広い範囲に調和空気が送られるようにしてもよい。以下、それぞれについて説明する。
【００４５】
（集中吹出）
図８の（ａ）において、ユーザーＵ１の居る位置であるユーザー位置Ｐ１が室内９０の左側（室内機１００から見て左手）にある場合、右側左右風向板群１０Ｒおよび左側左右風向板群１０Ｌの両方（図３参照）は、ユーザー位置Ｐ１に向けて調和空気が吹き出される姿勢（集中吹出の姿勢）にされている。したがって、ユーザーＵ１は、室内９０に均一に調和空気が吹き出される場合に比較して、より長時間に渡ってまたはより多量の調和空気を集中的に受けることになる。
【００４６】
（分散吹出）
図８の（ｂ）において、左側左右風向板群１０Ｌは常時、ユーザー位置Ｐ１に向けて調和空気の吹き出す姿勢に固定され、右側左右風向板群１０Ｒはユーザー位置Ｐ１およびユーザーＵ１以外のユーザー（例えば、ユーザーＵ２）が居る位置であるユーザー位置Ｐ２を含む所定の範囲（図中、αにて示す）を往復しながら調和空気を吹き出すように回動（スイング）してもよい。
そうすると、自分がユーザーＵ１に向けては、より多量の調和空気が集中的に吹き出されるから、ユーザーＵ１の快適性が高まると共に、ユーザー位置Ｐ１を除く範囲には、より少量の調和空気が間歇的に吹き出されることになる。このため、直接的な風流れに晒されたくないユーザーＵ２が、ユーザー位置Ｐ１とは相違する位置であるユーザー位置Ｐ２に居る場合、ユーザー位置Ｐ２にはより少量の調和空気が間歇的に吹き出されるから、ユーザーＵ２の快適性も維持されることになる。
【００４７】
（スイング吹出）
さらに、図８の（ｃ）に示すように、右側左右風向板群１０Ｒおよび左側左右風向板群１０Ｌの両方が、ユーザー位置Ｐ１およびユーザー位置Ｐ２を含む所定の範囲（図中、αにて示す）を回動（スイング）して調和空気を吹き出すようにし、ユーザー位置Ｐ１に向かった範囲（図中、βにて示す）においては、これを除く範囲よりもスイング速度を遅く（吹き出し時間を長く）するようにしてもよい。そうすると、図８の（ｂ）に示す場合と同様に、自分がユーザーＵ１と共に、ユーザーＵ１とは体温（または体感温度）が相違するユーザーＵ２の快適性も維持されることになる。
なお、集中吹出の要領の選定（図８の（ａ）、（ｂ）または（ｃ）に示す何れかの選定）は、予め決定しておいてもよいし、あるいは、暑がりさん（または寒がりさん）であるユーザーＵ１が、集中吹出が開始される時または開始された後に、リモコン等によって決定したり、変更したりしてもよい。
【００４８】
（スイング吹出における体温）
なお、右側左右風向板群１０Ｒおよび左側左右風向板群１０Ｌの両方の回動（スイング）を同期して、ユーザー位置Ｐ１を含む予め定めた範囲に向かって送風するようにしてもよい。
このとき、送風を受けない時間帯または送風量が少ない時間帯では、ユーザーＵ１の体温が見掛け上復熱する。すなわち、寒い（暑い）ところから入室したユーザーＵ１の平均的な体温は、強力吹出ステップにおいて、徐々に上昇（下降）するものであるが、検温装置６０が実際に検出する温度は、送風を受けている時間帯に比較して送風を受けていない時間帯または送風量が少ない時間帯の方が低目（目）になる。したがって、送風を直接受けていない時間帯または送風量が少ない時間帯に、検温装置６０が検出した温度を「体温」とすることが好ましい。
【００４９】
（スイング吹出における顔の温度変化）
図９は、本発明の実施の形態１に係る空気調和機の室内機におけるスイング吹出の際の人間の顔の温度の変化を模式的に示した温度変化図である。
図９において、スイング吹出を開始した直後の顔Ｕ１０の表面温度が温度Ｔ０であった場合、まず初回の顔Ｕ１０への吹出（当初の風量または風速）によって、顔の表面温度は温度Ｔ１にまで低下する。そこで、顔Ｕ１０への吹出が中断されると（正確には、風量または風速が低下、または無くなる）、顔Ｕ１０の表面は復熱して、表面温度が温度Ｔ２にまで上昇する。そして、顔Ｕ１０への２回目の吹出（当初の風量または風速）によって、顔Ｕ１０の表面温度は温度Ｔ３にまで低下し、さらに、顔Ｕ１０への集中吹出が中断されると（正確には、風量または風速が低下、または無くなる）、表面温度が温度Ｔ４にまで上昇する。以降、前記のような吹出の間歇的な繰り返しによって、吹出時の顔Ｕ１０の表面温度および復熱後の顔Ｕ１０の表面温度は、徐々に低下していく。
【００５０】
このとき、スイング吹出の繰り返しにおいて、復熱後の顔Ｕ１０の表面温度の低下の度合い（温度Ｔ２と温度Ｔ４との差等）が、吹出時の顔Ｕ１０の表面温度の低下の度合い（温度Ｔ１と温度Ｔ３との差等）よりも大きい。
したがって、初回の吹出による顔Ｕ１０の表面温度の低下量ΔＴ０１（温度Ｔ０と温度Ｔ１との差）、初回の復熱による顔Ｕ１０の表面温度の上昇量ΔＴ１２（温度Ｔ２と温度Ｔ１との差）、２回目の吹出による顔Ｕ１０の表面温度の低下量ΔＴ２３（温度Ｔ３と温度Ｔ２との差）、２回目の復熱による顔Ｕ１０の表面温度の上昇量ΔＴ３４（温度Ｔ４と温度Ｔ３との差）の順に、徐々に小さくなる。
そして、スイング吹出による顔の表面温度の低下量ΔＴ０１、低下量ΔＴ２３等または復熱による顔の表面温度の上昇量ΔＴ１２、上昇量ΔＴ３４等（以下「体温の変動幅ΔＴ」と称す）が、予め設定した温度である快適温度幅ΔＴｓ（例えば、１℃）以下になったとき、ユーザーＵａは爽快感を覚える（「涼み終わった」または「暖まり終わった」と感じる）と考えられる。
【００５１】
（制御フロー）
したがって、検温装置６０が検出したユーザーＵ１の体温（Ｔ２）が予め設定された標準温度範囲内の温度（ＴＬ≦Ｔ２≦ＴＵ）であるか否かを判断するステップ（Ｓ１６）において、前記「体温の変動幅ΔＴ」を検出して、これが、予め設定した温度幅である「快適温度幅ΔＴｓ」内であるか否かを判断するようにしてもよい。
すなわち、ユーザーＵ１に向けてスイング吹出を継続しているとき、検温装置６０によってユーザーＵ１の顔Ｕ１０の温度を検出し、制御装置７０は、検出した顔Ｕ１０の温度の値（複数の値）から、体温の変動幅ΔＴを求めると共に、求めた変動幅ΔＴと快適温度幅ΔＴｓとを比較する。
そして、求めた変動幅ΔＴが快適温度幅ΔＴｓ以下になったとき、ユーザーＵａが爽快感を覚えた（涼み終わったまたは暖まり終わったと感じた）として、標準吹出ステップ（Ｓ１８）に移行する。一方、求めた変動幅ΔＴが快適温度幅ΔＴｓを超える値の間は、ユーザーＵａが爽快感を覚えていない（涼み終わったまたは暖まり終わったと感じていない）として、スイング吹出（強力吹出）を継続する（Ｓ１０に戻る）。
【００５２】
したがって、スイング吹出の場合に、顔Ｕ１０の温度を実際に検出して、検出した顔Ｕ１０の温度の変動幅ΔＴに基づいて、ユーザーＵ１が爽快感を覚えているか否かを判断すれば、標準吹出ステップ（Ｓ１８）に移行するタイミングがより妥当なものになるから、快適性がさらに向上する。
【００５３】
次に、体温の変動幅ΔＴについて捕捉説明する。体温の変動幅ΔＴは、ある繰り返し時の集中吹出による顔の表面温度の低下量（初回を例にすると、ΔＴ＝ΔＴ０１＝Ｔ０−Ｔ１）であっても、復熱による顔の表面温度の上昇量（初回を例にすると、ΔＴ＝ΔＴ１２＝Ｔ２−Ｔ１）であってもよいし、両者の平均値（ΔＴ＝（ΔＴ０１＋ΔＴ１２）／２）であってもよい。さらに、複数回に渡る集中吹出による顔の表面温度の低下量と復熱による顔の表面温度の上昇量との平均値（初回および２回目を例にすると、ΔＴ＝（ΔＴ０１＋ΔＴ１２＋Δ２３＋Δ３４）／４）であってもよい。複数回に渡る前記低下量および前記上昇量の平均値を用いることによって、実際の表面温度や温度検出のバラツキの影響を抑えた判断をすることが可能になる。
【００５４】
［実施の形態２］
図１０および図１１は、本発明の実施の形態２に係る空気調和機の室内機を説明するものであって、室内機における制御フローを示すフローチャートである。なお、実施の形態１と同じ部分または相当する部分またはステップには同じ符号または番号を付し、一部の説明を省略する。
空気調和機の室内機（以下「室内機」と称す）２００は、実施の形態１に示す室内機１００と同様の構成を有し、制御装置７０は、暖房モードにおいて、検出したユーザーの体温が所定の温度範囲にある場合に、運転モードを冷房運転モードに切り替えることを特徴とする点において室内機１００と相違し、これを除く制御フローは室内機１００に同じである。以下、相違する点を中心にして、制御フローを説明する。
【００５５】
（運転モードの切り替え）
運転モードが暖房モード（暖房運転中）であって、ユーザーＵ１を認識し、且つ、検温装置６０が検出したユーザーＵ１の体温（Ｔ１）が、予め定められた「標準温度範囲」の上限温度（ＴＵ、例えば、３８℃）に比較して高い場合（ＴＵ＜Ｔ１）は、例えば冬場の温泉等の脱衣所のように暖房されている空調環境において、ユーザーＵ１は、風呂上がり時に、一時的に急速に涼しくなろうとしている場合であると判断する。
このとき、運転モードを冷房モードに切り替えて、調和空気の吹出温度を、前記当初吹出温度よりも低い温度（例えば、５℃だけ低い温度）に変更する。
そして、ユーザーＵ１の体温（Ｔ１）が、標準温度範囲内に戻った（ＴＬ＜Ｔ１＜ＴＵ）ところで、運転モードを切り替え前の暖房モードに戻し、調和空気の吹出温度を、変更する前の吹出温度に戻す。
なお、図示しない室外機の熱交換器は、暖房モードの間は、低温の冷媒が供給されていたが、冷房モードへの切り替えによって、今度は、高温の冷媒が供給されるため、低温の冷媒が供給されている間に室外機の熱交換器に発生した着霜は、高温の冷媒の供給によって融かされる。すなわち、冷房モードへの切り替えは、室外機の熱交換器を「除霜運転」することに同じである。
【００５６】
（吹出温度の設定）
図１０および図１１において、運転モードが冷房モード（冷房運転中）であって、ユーザーＵ１の体温（Ｔ１）が、標準温度範囲の上限温度（例えば、３８℃）に比較して高い場合（ＴＵ＜Ｔ１）、ユーザーＵ１は、例えば夏場の暑い室外から入室した者、あるいは風呂上がり直後の者であると推定して、急速に涼しくなろうとしていると判断する。そこで、調和空気の吹出温度を、前記当初吹出温度よりも低い温度（例えば、５℃だけ低い温度）に変更する。
【００５７】
一方、運転モードが暖房モードまたは冷房モードであって、特定した体温（Ｔ１）が、予め定められた標準温度範囲の下限温度（ＴＬ、例えば、３５℃）に比較して低い場合（Ｔ１＜ＴＬ）、ユーザーＵ１は寒い室外から入室し、急速に暖まろうとしている、あるいは冷房が過剰に効いていると判断し、調和空気の吹出温度を、現在運転中の吹出温度よりも高い温度（例えば、５℃だけ高い温度）に変更する。
【００５８】
さらに、運転モードが暖房モードまたは冷房モードであって、特定した体温が、予め定められた標準温度範囲以内の温度（例えば、３５℃〜３８℃）である場合、ユーザーＵ１は、調和空気が自分に向けて集中的に吹き出されるようにしようとしているだけであると判断し、調和空気の吹出温度を、前記当初吹出温度のままの同じ温度に設定する。
【００５９】
（制御フロー）
図１０および図１１において、室内機２００の制御装置７０は以下のステップを実行する。すなわち、室内機１００と同様に、まず、ユーザー認識ステップ（Ｓ１〜Ｓ３）を実行し、続いて、温度設定ステップ（Ｓ４〜Ｓ６の３）を実行する。
このとき、温度設定ステップ（Ｓ４〜Ｓ６の３）と並行して、体温（Ｔ１）が標準温度範囲の上限温度（ＴＵ）よりも高い温度（ＴＵ＜Ｔ１）である場合、現在運転中の運転モードが暖房モードであるか否かを判断し（Ｓ３０）、暖房モードである場合は、運転モードを冷房モードに切り替える（Ｓ３１）。一方、暖房モードでない場合（このとき、運転モードは冷房モードになっている）、運転モードを切り替えることなく、冷房モードを継続する「運転モード切替ステップ」を実行する。
【００６０】
そこで、強力吹出ステップ（Ｓ９、Ｓ１０）を実行する。また、ユーザーＵ１の移動に備え追跡ステップ（Ｓ１１〜Ｓ１３）を実行する。Ｕ１を追跡して、移動先を特定し（Ｓ１２）、そして、吹出対象変更ステップ（Ｓ１４）を実行する。
さらに、ユーザーＵ１の体温（Ｔ２）を検出して（Ｓ１５）、該検出した体温（Ｔ２）が標準温度範囲内の温度（ＴＬ≦Ｔ２≦ＴＵ）である場合（Ｓ１６、範囲内）、運転モードが暖房モードから冷房モードに切り替えられている場合（Ｓ３２）、運転モードを暖房モードに戻す（Ｓ３３、以下まとめて「運転モード戻しステップ」と称す）。
【００６１】
その後、吹出温度を設定される前の吹出温度に戻して（Ｓ１７）、標準吹出ステップ（Ｓ１８）を実行し、リモコン８０に設けられた図示しない停止釦（入力部８１に設けられている）が押されたところで（Ｓ１９）、制御を終了する。
一方、ユーザーＵ１の体温（Ｔ２）を検出して（Ｓ１５）、該検出した体温（Ｔ２）が標準温度範囲を外れている場合（Ｓ１６において、範囲外）、設定された吹出温度（Ｔ＋ΔＴ、または、Ｔ−ΔＴ）の調和空気をユーザーＵ１に向けて集中的に送風するステップに戻る（Ｓ１０に戻る）。
【００６２】
（作用効果）
以上のように、室内機２００の制御装置７０は、室内機１００の制御フローに、運転モード切替ステップ（Ｓ３０〜Ｓ３１）と運転モード戻しステップ（Ｓ３２、Ｓ３３）とを追加したものであるから、以下の作用効果が得られる。
（ｉ）運転モードが暖房モード（暖房運転中）であって、ユーザーＵ１の体温（Ｔ１）が高い場合、例えば冬場の温泉等の脱衣所のように、暖房されている空調環境において、風呂上がり直後のユーザーＵ１が容易かつ迅速に一時的に涼しくなりたい場合、ユーザーＵ１は、リモコン等を操作するような特別の作業を必要とすることなく、自分を認識させることによって、吹出温度が低く設定されて調和空気（冷風）を受けることができる。また、かかる冷風を受けたことによって、ユーザーＵ１が涼んだところで、吹出温度が元に戻された調和空気（温風）を受けることができる。よって、風呂上がり直後のユーザーＵ１の快適性が増す。
【００６３】
（ｉｉ）また、冷房モードへの切り替えは、室外機に設置された熱交換器に対して除霜運転することに同じであるから、室外機の熱交換器に着霜が生じた場合でも、除霜が実行され、熱効率の悪化を防止することができる。
（ｉｉｉ）さらに、室内機２００は、室内機１００が有する起動ステップを有しないものの、室内機１００における起動ステップを除く各ステップを実行するため、当該各ステップに対応した作用効果を得ることができる。
【符号の説明】
【００６４】
１  本体、２  前面パネル、３  吸込口、４  熱交換器、４ａ  熱交換前部分、４ｂ  熱交換上前部分、４ｃ  熱交換上後部分、５  送風機、６  風路、７  吹出口、８  ドレンパン、８ａ  上面、８ｂ  下面、９  上下風向板、９ａ  前上下風向板、９ｂ  後上下風向板、１０  左右風向板、１０Ｌ  左側左右風向板群、１０Ｒ  右側左右風向板群、１０ａ〜１０ｎ  左右風向板、２０Ｌ  左側連結棒、２０Ｒ  右側連結棒、３０Ｌ  左側駆動手段、４０  受信装置、５０  撮像装置、５０ａ〜５０ｅ  放射線、５１  視野、６０  検温装置、７０  制御装置、８０  リモコン、８１  入力部、８２  表示部、８５  交信部、９０  室内、９１  背面壁、９２  天井面、１００  室内機（実施の形態１）、２００  室内機（実施の形態２）、Ｐ０  認識位置、Ｐ１  ユーザー位置、Ｐ２  ユーザー位置、Ｕ１  ユーザー、Ｕ１０  顔、Ｕ１１ａ  目、Ｕ１１ｂ  目、Ｕ１１ｃ  中点、Ｕ１２  上端、Ｕ１３  鼻、Ｕ１４  下端、Ｕ１５  左端、Ｕ１６  右端、Ｕ２  ユーザー、Ｕ３  ユーザー、Ｕ４  ユーザー。
【図１】
2015094527.tif 000003
【図２】
2015094527.tif 000004
【図３】
2015094527.tif 000005
【図４】
2015094527.tif 000006
【図５】
2015094527.tif 000007
【図６】
2015094527.tif 000008
【図７】
2015094527.tif 000009
【図８】
2015094527.tif 000010
【図９】
2015094527.tif 000011
【図１０】
2015094527.tif 000012
【図１１】
2015094527.tif 000013